(57)【特許請求の範囲】
【請求項１】
シリコンＤＡＡを使用して電話回線に接続可能に構成される通信装置であって、
前記電話回線の電圧および電流を調整するための調整期間を設定する制御部を有し、
前記制御部は、
オフフック後において、前記通信装置内における内部回線の電圧値が所定の閾値以上の場合、前記シリコンＤＡＡが前記電話回線に接続されていると判断し、前記電圧値が前記所定の閾値未満の場合、前記シリコンＤＡＡが前記電話回線に接続されていないと判断し、
前記シリコンＤＡＡが前記電話回線に接続されていないと判断される場合、前記調整期間を増加させ、
前記電話回線の電圧および電流の調整が終了した後において、前記シリコンＤＡＡが前記電話回線に接続されていないと判断される場合、前記電話回線の電圧および電流の調整を再開する、通信装置。
【請求項２】
前記制御部は、
前記調整期間において、前記電話回線に規定値以上の電流が検出された場合、オンフックするように前記シリコンＤＡＡを制御することを特徴とする請求項１に記載の通信装置。
【請求項３】
前記制御部は、
前記調整期間において、所定時間経過後、
前記シリコンＤＡＡが前記電話回線に接続されていると判断される場合、前記調整期間を終了する一方で、
前記シリコンＤＡＡが前記電話回線に接続されていないと判断される場合、前記調整期間を延長することを特徴とする請求項１または２に記載の通信装置。
【請求項４】
前記通信装置は、ファクシミリ装置、ＭＦＰまたは電話機であることを特徴とする請求項１〜３のいずれか１項に記載の通信装置。
【請求項５】
シリコンＤＡＡを使用して電話回線に接続可能に構成される通信装置において、
前記電話回線の電圧および電流を調整するための調整期間を設定するステップ（ａ）と、
前記シリコンＤＡＡが前記電話回線に接続されているか否かを判断するステップ（ｂ）と、
前記シリコンＤＡＡが前記電話回線に接続されていないと判断される場合、前記調整期間を増加させるステップ（ｃ）と、
前記電話回線の電圧および電流の調整が終了した後において、前記シリコンＤＡＡが前記電話回線に接続されていないと判断される場合、前記電話回線の電圧および電流の調整を再開する、（ｄ）と、を有し、
前記ステップ（ｂ）では、
オフフック後において、前記通信装置内における内部回線の電圧値が所定の閾値以上の場合、前記シリコンＤＡＡが前記電話回線に接続されていると判断し、前記電圧値が前記所定の閾値未満の場合、前記シリコンＤＡＡが前記電話回線に接続されていないと判断する、通信制御方法。
【請求項６】
前記調整期間において、前記電話回線に規定値以上の電流が検出された場合、オンフックするように前記シリコンＤＡＡを制御するステップ（ｅ）をさらに有することを特徴とする請求項５に記載の通信制御方法。
【請求項７】
前記ステップ（ｃ）では、
前記調整期間において、所定時間経過後、
前記シリコンＤＡＡが前記電話回線に接続されていないと判断される場合、前記調整期間を延長することを特徴とする請求項５または６に記載の通信制御方法。
【請求項８】
コンピューターに請求項５〜７のいずれか１項に記載の通信制御方法を実行させるように構成される、通信制御プログラム。
【請求項９】
請求項８に記載の通信制御プログラムを記録したコンピューター読み取り可能な記録媒体。
【発明の詳細な説明】
【技術分野】
【０００１】
本発明は、通信装置、通信制御方法および通信制御プログラムに関する。
【背景技術】
【０００２】
近年、シリコンＤＡＡ（Ｄａｔａ  Ａｃｃｅｓｓ  Ａｒｒａｎｇｅｍｅｎｔ）を回線制御回路として電話回線の制御に使用するファクシミリ装置が増えてきている。このようなファクシミリ装置では、シリコンＤＡＡ（または半導体ＤＡＡとも呼ばれる）を回線制御回路に採用することにより、トランスなどの部品を削減することができ、小型化および低コスト化を実現できるなどの利点がある。
【０００３】
一方、シリコンＤＡＡを回線制御回路に採用したことにより生じた問題もある。たとえば、オフィスなどでは、ファクシミリ装置は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）の電話回線に加え、ディジタル回線を使用した通信機器、たとえばビジネスフォンシステムに接続されることがある。通常、ファクシミリ装置と公衆交換電話網の電話回線との接続、およびファクシミリ装置とビジネスフォンシステムとの接続は、電話線を通じて行われる。ところが、ビジネスフォンシステムの電話線のコネクターには、公衆交換電話網の電話回線に接続される電話線のコネクター（モジュラージャック）と同じ形状のものがある。そのため、ユーザーが、たとえばファクシミリ装置を設置したり移動したりした後、ファクシミリ装置に電話線を接続する際に、ビジネスフォンシステムの電話線のコネクターをファクシミリ装置の電話線のコネクターに誤って挿し込んでしまうことがある。
【０００４】
ファクシミリ装置は、通常、公衆交換電話網から電話回線に１２０〔ｍＡ〕までの電流が流れるように設計されているのに対して、ビジネスフォンシステムは、それよりも大きい、たとえば３００〔ｍＡ〕程度の電流を流せるように設計されていることが多い。したがって、ファクシミリ装置の電話線のコネクターにビジネスフォンシステムの電話線のコネクターが誤接続された場合には、ファクシミリ装置に想定外の過大な電流が流れ続けて、ファクシミリ装置に内蔵されている部品が損傷するおそれがある。
【０００５】
これに関連して、シリコンＤＡＡを使用するファクシミリ装置の電話線のコネクターにビジネスフォンシステムの電話線のコネクターが誤接続された場合に、過大電流が流れ続けることを回避する技術が知られている（たとえば、下記特許文献１を参照）。特許文献１の技術では、電話回線の電圧または電流を検出し、当該電圧または電流が過大であることを示す閾値を超えると、ファクシミリ装置をオンフック状態へ移行することにより、ファクシミリ装置に過大電流が流れ続けることを回避している。
【０００６】
しかしながら、一般にシリコンＤＡＡには、電話回線の電圧および電流を調整するための予め定められた所定時間においてのみ、電話回線の電流を検出できるという機能的な制約がある。これは、電話回線の電圧および電流の調整は、ダイアルやファクシミリ信号によって電圧および電流の調整値が狂わないように、オフフック後からダイアルやファクシミリ通信を開始する前までに終了する必要があるためである。したがって、特許文献１の技術では、上記所定時間の経過後には、電話回線の電流を検出する機能が動作しなくなる。その結果、上記所定時間の経過後に、ファクシミリ装置の電話線のコネクターにビジネスフォンシステムの電話線のコネクターが誤接続された場合には、ファクシミリ装置に過大電流が流れ続けることを回避できなくなるという問題がある。
【先行技術文献】
【特許文献】
【０００７】
【特許文献１】特開２０１３−２１１７９１号公報
【発明の概要】
【発明が解決しようとする課題】
【０００８】
本発明は、上記問題に鑑みてなされたものである。したがって、本発明の目的は、ビジネスフォンシステムの電話線のコネクターが、通信装置の電話線のコネクターに、電圧電流調整のための予め定められた所定時間を経過した後に誤接続されたとしても、過大電流が流れ続けることを回避できる通信装置、通信制御方法および通信制御プログラムを提供することである。
【課題を解決するための手段】
【０００９】
本発明の上記目的は、下記によって達成される。
【００１０】
（１）シリコンＤＡＡを使用して電話回線に接続可能に構成される通信装置であって、前記電話回線の電圧および電流を調整するための調整期間を設定する制御部を有し、前記制御部は、オフフック後において、前記通信装置内における内部回線の電圧値が所定の閾値以上の場合、前記シリコンＤＡＡが前記電話回線に接続されていると判断し、前記電圧値が前記所定の閾値未満の場合、前記シリコンＤＡＡが前記電話回線に接続されていないと判断し、前記シリコンＤＡＡが前記電話回線に接続されていないと判断される場合、前記調整期間を増加させ、前記電話回線の電圧および電流の調整が終了した後において、前記シリコンＤＡＡが前記電話回線に接続されていないと判断される場合、前記電話回線の電圧および電流の調整を再開する、通信装置。
【００１１】
（２）前記制御部は、前記調整期間において、前記電話回線に規定値以上の電流が検出された場合、オンフックするように前記シリコンＤＡＡを制御することを特徴とする上記（１）に記載の通信装置。
【００１２】
（３）前記制御部は、前記調整期間において、所定時間経過後、前記シリコンＤＡＡが前記電話回線に接続されていると判断される場合、前記調整期間を終了する一方で、前記シリコンＤＡＡが前記電話回線に接続されていないと判断される場合、前記調整期間を延長することを特徴とする上記（１）または（２）に記載の通信装置。
【００１５】
（４）前記通信装置は、ファクシミリ装置、ＭＦＰまたは電話機であることを特徴とする上記（１）〜（３）のいずれか１つに記載の通信装置。
【００１６】
（５）シリコンＤＡＡを使用して電話回線に接続可能に構成される通信装置において、前記電話回線の電圧および電流を調整するための調整期間を設定するステップ（ａ）と、前記シリコンＤＡＡが前記電話回線に接続されているか否かを判断するステップ（ｂ）と、前記シリコンＤＡＡが前記電話回線に接続されていないと判断される場合、前記調整期間を増加させるステップ（ｃ）と、前記電話回線の電圧および電流の調整が終了した後において、前記シリコンＤＡＡが前記電話回線に接続されていないと判断される場合、前記電話回線の電圧および電流の調整を再開する、（ｄ）と、を有し、前記ステップ（ｂ）では、オフフック後において、前記通信装置内における内部回線の電圧値が所定の閾値以上の場合、前記シリコンＤＡＡが前記電話回線に接続されていると判断し、前記電圧値が前記所定の閾値未満の場合、前記シリコンＤＡＡが前記電話回線に接続されていないと判断する、通信制御方法。
【００１７】
（６）前記調整期間において、前記電話回線に規定値以上の電流が検出された場合、オンフックするように前記シリコンＤＡＡを制御するステップ（ｅ）をさらに有することを特徴とする上記（５）に記載の通信制御方法。
【００１８】
（７）前記ステップ（ｃ）では、前記調整期間において、所定時間経過後、前記シリコンＤＡＡが前記電話回線に接続されていないと判断される場合、前記調整期間を延長することを特徴とする上記（５）または（６）に記載の通信制御方法。
【００２０】
（８）コンピューターに上記（５）〜（７）のいずれか１つに記載の通信制御方法を実行させるように構成される、通信制御プログラム。
【００２１】
（９）上記（８）に記載の通信制御プログラムを記録したコンピューター読み取り可能な記録媒体。
【発明の効果】
【００２２】
本発明によれば、オフフック後からオンフック前までの間において、電話回線に流れる電流を検出するシリコンＤＡＡの機能が動作し、電話回線を通じて通信装置に過大電流が流れた場合に検出することができる。したがって、通信装置の電話線のコネクターにディジタル回線を使用した他の通信機器の電話線のコネクターがどのようなタイミングで誤接続されたとしても、通信装置に過大電流が流れ続けることを確実に回避できる。
【図面の簡単な説明】
【００２３】
【図１】本発明の一実施形態に係るファクシミリ通信システムの概略構成を説明するためのブロック図である。
【図２】図１に示すファクシミリ装置の構成の一例を示す概略ブロック図である。
【図３】図２に示す制御部の構成を示す概略ブロック図である。
【図４】図１に示すファクシミリ装置および交換機の機能ブロック図である。
【図５Ａ】図１に示すファクシミリ装置の通信制御方法の一例を説明するためのフローチャートである。
【図５Ｂ】図５Ａに後続する図である。
【発明を実施するための形態】
【００２４】
以下、添付した図面を参照して本発明の通信装置、通信制御方法および通信制御プログラムの実施形態を説明する。なお、図中、同一の部材には同一の符号を用いた。
【００２５】
（実施形態）
以下では、本実施形態の通信装置、通信制御方法および通信制御プログラムについて、ファクシミリ装置間において通信を行う場合を例示して説明する。
【００２６】
＜ファクシミリ通信システムの概略構成＞
図１は、本発明の一実施形態に係るファクシミリ通信システムの概略構成を説明するためのブロック図である。図１に示すように、本実施形態では、２台のファクシミリ装置１００，５００が公衆交換電話網３００を介して通信を行う場合について説明する。
【００２７】
ファクシミリ装置１００と交換機２００とは、電話回線Ｌ，Ｌ’によって互いに通信可能に接続されており、交換機２００は、ファクシミリ装置１００の要求に応じて、公衆交換電話網３００を経由して、相手方の他の交換機４００との間に通信回線を確立する。ファクシミリ装置１００は、上記通信回線を通じて相手方のファクシミリ装置５００と通信することができる。電話回線Ｌ，Ｌ’は、たとえば２線式アナログの回線である。
【００２８】
なお、ファクシミリ装置５００および交換機４００の構成は、それぞれファクシミリ装置１００および交換機２００の構成と同様である。したがって、以下では、ファクシミリ装置１００および交換機２００の構成について説明し、ファクシミリ装置５００および交換機４００については詳細な説明を省略する。
【００２９】
＜ファクシミリ装置のハードウェア構成＞
図２は、図１に示すファクシミリ装置１００の構成の一例を示す概略ブロック図である。本実施形態のファクシミリ装置１００は、シリコンＤＡＡ１１０、モデム１２０、操作パネル１３０、画像読取部１４０、画像処理部１５０、画像形成部１６０および制御部１７０を有する。また、ファクシミリ装置１００は、コネクター部１０１を有し、当該コネクター部１０１は、電話線１０２によって、たとえば壁面Ｗに設置された電話回線Ｌ，Ｌ’のＲＪ１１コネクター（モジュラージャック）と接続されうる。本実施形態では、コネクター部１０１は、ＲＪ１１コネクターを含みうる。
【００３０】
一方、ファクシミリ装置１００内において、コネクター部１０１は、図示しない整流回路を介してシリコンＤＡＡ１１０に接続される。また、コネクター部１０１と上記整流回路との間にノイズ除去回路をさらに設けてもよい。ノイズ除去回路は、電話回線Ｌ，Ｌ’からファクシミリ装置１００に伝播されうる雷サージやノイズを抑制する機能を有する。
【００３１】
シリコンＤＡＡ１１０は、回線制御回路として、電話回線Ｌ，Ｌ’に接続可能に構成され、電話回線Ｌ，Ｌ’を制御する。シリコンＤＡＡ１１０は、制御部１７０の指示に応じて、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）が標準化したファクシミリの国際規格にしたがって電話回線Ｌ，Ｌ’を制御し、データを送受信する。シリコンＤＡＡ１１０の機能の詳細については後述する。
【００３２】
モデム１２０は、制御部１７０の指示に従って、シリコンＤＡＡ１１０によって受信されたデータを復調したり、送信する画像データを電話回線Ｌ，Ｌ’によって伝送可能なアナログ信号に変調したりする。また、本実施形態では、モデム１２０は、シリコンＤＡＡ１１０を制御するためのレジスタセットを備え、制御部１７０によって当該レジスタセットにシリコンＤＡＡ１１０の制御情報が書き込まれる。
【００３３】
操作パネル１３０は、ユーザーの指示を受け付けたり、ユーザーへのメッセージなどを表示したりする。本実施形態では、操作パネル１３０は、ボタンスイッチやタッチパネルを有する。ユーザーは、これらのボタンスイッチや、タッチパネルに表示されるタッチ画面を操作することにより、ファクシミリ装置１００に対して指示を入力する。また、タッチ画面には、入力された情報、各種設定情報、エラーメッセージなどが表示される。
【００３４】
画像読取部１４０は、原稿の画像データを取得する。画像読取部１４０は、スキャナーを備え、当該スキャナーにより原稿を読み取ることにより画像データを取得する。また、画像読取部１４０は、ＡＤＦ（Ａｕｔｏ  Ｄｏｃｕｍｅｎｔ  Ｆｅｅｄｅｒ）を備え、複数ページの原稿を連続して読み取ることができる。さらに、画像読取部１４０は、ＬＡＮ（Ｌｏｃａｌ  Ａｒｅａ  Ｎｅｔｗｏｒｋ）などのネットワークを介して通信するためのインターフェースを備え、これらのインターフェースを介して外部の端末から画像データを取得することもできる。
【００３５】
画像処理部１５０は、画像読取部１４０により取得された画像データに各種の画像処理を施す。画像処理としては、たとえば、拡大、縮小、ページ番号の追加、ページの割り付け、階調補正などが挙げられる。
【００３６】
画像形成部１６０は、画像データに応じて用紙上に画像を形成する。画像形成部１６０の画像形成方法としてはとくに限定されず、電子写真方式であってもよいし、インクジェット方式や熱転写方式であってもよい。
【００３７】
制御部１７０は、シリコンＤＡＡ１１０、モデム１２０、操作パネル１３０、画像読取部１４０、画像処理部１５０および画像形成部１６０を制御する。なお、本実施形態では、制御部１７０がモデム１２０を介してシリコンＤＡＡ１１０を間接的に制御するように構成されているが、このような構成に限定されず、制御部１７０がシリコンＤＡＡ１１０を直接的に制御する構成としてもよい。
【００３８】
＜制御部のハードウェア構成＞
図３は、図２に示す制御部１７０のハードウェア構成を示す概略ブロック図である。制御部１７０は、メモリー１７１、本体Ｉ／Ｆ部１７２およびＣＰＵ（Ｃｅｎｔｒａｌ  Ｐｒｏｃｅｓｓｉｎｇ  Ｕｎｉｔ）１７３を有し、これらは信号をやり取りするためのバス１７４を介して相互に接続されている。
【００３９】
メモリー１７１は、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）を備える（不図示）。ＲＡＭは、作業領域として一時的にプログラムおよび送受信データを記憶する高速アクセス可能な主記憶装置である。また、ＲＯＭは、オペレーティングシステム、通信制御プログラムＰを含む各種プログラムや各種データを記憶している。通信制御プログラムＰは、後述する通信制御機能を実現するためのプログラムである。なお、メモリー１７１は、たとえば、フラッシュメモリー、ソリッドステートドライブ、ハードディスクドライブなどを含む補助記憶部をさらに備え、当該補助記憶部に上記各種プログラムが格納されるように構成されてもよい。
【００４０】
本体Ｉ／Ｆ部１７２は、たとえば、操作パネル１３０などの入出力装置と通信するためのインターフェースである。
【００４１】
ＣＰＵ１７３は、上記各種プログラムに従って、シリコンＤＡＡ１１０、モデム１２０、操作パネル１３０、画像読取部１４０、画像処理部１５０および画像形成部１６０を制御するため、各種の判断処理や演算処理を実行する。ファクシミリ装置１００の各機能は、それに対応するプログラムをＣＰＵ１７３が実行することにより実現される。とくに、本実施形態では、ＣＰＵ１７３が通信制御プログラムＰを実行し、シリコンＤＡＡ１１０およびモデム１２０を制御することにより、通信制御機能が実現される。以下、本実施形態の通信制御機能の詳細について図４を参照して説明する。
【００４２】
＜ファクシミリ装置の機能＞
図４は、図１に示すファクシミリ装置１００および交換機２００の機能ブロック図である。ＣＰＵ１７３が、通信制御プログラムＰに基づいて、図２、３で説明したハードウェアを制御することにより、図４に示す機能が実現される。本実施形態のファクシミリ装置１００は、スイッチ６０１、絶縁部６０２、回線制御部６１０、電圧監視部６２０、電流監視部６３０、電圧電流調整部６４０、タイマー部６５０およびファクシミリ通信制御部６６０を有する。
【００４３】
回線制御部６１０は、電話回線Ｌ，Ｌ’に接続し、制御する。具体的には、回線制御部６１０は、オフフック指示を受信した場合、スイッチ６０１をオンしてファクシミリ装置１００をオフフック（回線捕捉）する。一方、回線制御部６１０は、オンフック指示を受信した場合、スイッチ６０１をオフしてファクシミリ装置１００をオンフック（回線開放）する。
【００４４】
電圧監視部６２０は、ファクシミリ装置１００内における内部回線Ｌ１，Ｌ２間の電圧（以下、「内部回線電圧」と書く）を検出する。本実施形態では、電圧監視部６２０は、オフフックされた後において、電話線１０２が電話回線Ｌ，Ｌ’およびファクシミリ装置１００に接続されているか否かを判断する。電話線１０２が電話回線Ｌ，Ｌ’およびファクシミリ装置１００に接続されているか否かは、シリコンＤＡＡ１１０が電話回線Ｌ，Ｌ’に接続されているか否かを調べることにより判断できる。そして、シリコンＤＡＡ１１０が電話回線Ｌ，Ｌ’に接続されているか否かは、電圧監視部６２０が検出する内部回線電圧が所定の閾値以上か否かにより判断できる。たとえば、内部回線電圧が上記所定の閾値以上である場合、シリコンＤＡＡ１１０が電話回線Ｌ，Ｌ’に接続されていると判断され、内部回線電圧が上記所定の閾値未満である場合、シリコンＤＡＡ１１０が電話回線Ｌ，Ｌ’に接続されていないと判断される。
【００４５】
シリコンＤＡＡ１１０が電話回線Ｌ，Ｌ’に接続されていないと判断される場合としては、電話線１０２がファクシミリ装置１００のコネクター部１０１および／または壁面Ｗのコネクターから抜けている場合や、電話線１０２が断線した場合などが想定される。しかし、電話線１０２が断線することは稀である。したがって、本実施形態では、電圧監視部６２０は、オフフックされた後において、内部回線電圧が上記所定の閾値未満である場合、電話線１０２がファクシミリ装置１００のコネクター部１０１および／または壁面Ｗのコネクターから抜けていると判断する。なお、シリコンＤＡＡ１１０が電話回線Ｌ，Ｌ’に接続されている場合において、通常、内部回線電圧は最も低い場合でも４〔Ｖ〕程度以上の値が検出されるので、上記所定の閾値は、たとえば２〔Ｖ〕程度に設定するのが好適である。このように、本実施形態では、ファクシミリ装置１００内における内部回線電圧の値に基づいて、シリコンＤＡＡ１１０が電話回線Ｌ，Ｌ’に接続されているか否かを判断する。したがって、シリコンＤＡＡ１１０が電話回線Ｌ，Ｌ’に接続されているか否かを判断するための機構やセンサーなどを別途設ける必要がない。
【００４６】
電流監視部６３０は、内部回線Ｌ１，Ｌ２に流れる電流、すなわち電話回線Ｌ，Ｌ’に流れる電流（以下、「回線電流」と書く）を検出する。電流監視部６３０は、シリコンＤＡＡ１１０の機能上の制約により、電圧電流調整の調整期間においてのみ回線電流を検出することができる。これに対して、電流監視部６３０は、電圧電流調整の調整期間が終了した後においても内部回線電圧を検出できる。また、電流監視部６３０は、規定値以上の過大な回線電流を検出した場合、回線制御部６１０に対して、オンフックするように指示するとともに、操作パネル１３０にエラーメッセージを表示させるように指示する。本実施形態では、上記規定値は、たとえば１２０〔ｍＡ〕である。
【００４７】
電圧電流調整部６４０は、電話回線Ｌ，Ｌ’の電圧（以下、「回線電圧」と書く）および回線電流を調整する。以下、回線電圧および回線電流の調整を「電圧電流調整」と書く。電圧電流調整部６４０は、内部回線Ｌ１，Ｌ２間の抵抗、すなわち電話回線Ｌ，Ｌ’の終端抵抗を調整することによって、回線電圧および回線電流が各国の仕様に対応した所定の関係（電圧電流特性）を満たすように調整する。電圧電流特性は、たとえば制御部１７０のＲＯＭに予め保存されている。
【００４８】
タイマー部６５０は、タイマーを有し、電圧電流調整の調整期間として予め定められた所定時間を計時する。所定時間は、とくに限定されることはないが、たとえば１秒程度に設定することが好ましい。本実施形態では、タイマー部６５０は、シリコンＤＡＡ１１０が電話回線Ｌ，Ｌ’に接続されていないと判断される場合、タイマーを再セットして、調整期間を延長または電圧電流調整を再開、すなわち、調整期間を増加させる。
【００４９】
ファクシミリ通信制御部６６０は、交換機２００から送出されるダイヤルトーンやリングバックトーンの検出処理、プッシュボタン信号の送出処理、送信データの変調および受信データの復調などを実行する。ファクシミリ通信制御部６６０は、絶縁部６０２により内部回線Ｌ１，Ｌ２から直流的に絶縁される。
【００５０】
交換機２００は、定電圧源２０１、電流制限抵抗２０２、絶縁部２０３および信号送受信部２１０を有する。定電圧源２０１は、電流制限抵抗２０２を介して、規定の電圧（たとえば４８〔Ｖ〕）をファクシミリ装置１００に供給する。
【００５１】
回線制御回路６１０がオフフック指示を受信すると、スイッチ６０１がオンされる。その結果、スイッチ６０１、電圧電流調整部６４０、電流監視部６３０、電話回線Ｌ’、定電圧源２０１、電流制限抵抗２０２、電話回線Ｌを通ってスイッチ６０１へ一巡する閉回路（直流ループ）が形成される。この閉回路には、定電圧源２０１から電流制限抵抗２０２を介して上記規定の電圧が供給され、回線電流が流れる。
【００５２】
信号送受信部２１０は、ファクシミリ装置１００へダイヤルトーンやリングバックトーンを送出する。信号送受信部２１０は、絶縁部２０３により上記閉回路から直流的に絶縁される。
【００５３】
＜通信制御方法＞
以上のように構成される本実施形態のファクシミリ装置１００の通信制御方法について説明する。図５Ａおよび図５Ｂは、図１に示すファクシミリ装置１００の通信制御方法の一例を説明するためのフローチャートである。図５Ａおよび図５Ｂに示す通信制御方法は、ＣＰＵ１７３が通信制御プログラムＰを実行することにより実現される。
【００５４】
図５Ａに示すように、オフフック指示を受信したか否かを判断する（ステップＳ１０１）。回線制御部６１０は、オンフック状態において、オフフック指示を受信するまで待機する（ステップＳ１０１：ＮＯ）。そして、オフフック指示を受信した場合（ステップＳ１０１：ＹＥＳ）、スイッチ６０１をオンし、ファクシミリ装置１００を電話回線Ｌ，Ｌ’に接続する（ステップＳ１０２）。
【００５５】
次に、電圧電流調整を開始する（ステップＳ１０３）。電圧電流調整部６４０は、電圧監視部６２０によって検出された内部回線電圧と、電流監視部６３０によって検出された回線電流とに基づいて、電圧電流調整を開始する。
【００５６】
次に、タイマーをセットする（ステップＳ１０４）。タイマー部６５０は、タイマーに電圧電流調整の調整時間として所定時間をセットし、計時を開始する。
【００５７】
次に、所定時間が経過したか否かを判断する（ステップＳ１０５）。所定時間が経過していない場合（ステップＳ１０５：ＮＯ）、過大電流を検出したか否かを判断する（ステップＳ１０６）。電流監視部６３０は、検出した回線電流が規定値以上であるか否かを判断する。過大電流を検出していない場合、すなわち回線電流が上記規定値未満である場合（ステップＳ１０６：ＮＯ）、ステップＳ１０５の処理へ戻る。
【００５８】
一方、過大電流を検出した場合、すなわち回線電流が上規定値以上である場合（ステップＳ１０６：ＹＥＳ）、回線制御部６１０は、スイッチ６０１をオフしてファクシミリ装置１００をオンフック（ステップＳ１０７）し、処理を終了する（エンド）。電圧電流調整の調整期間は、電流監視部６３０により回線電流を検出することができる。したがって、ファクシミリ装置１００のコネクター部１０１にビジネスフォンシステムの電話線のコネクターが誤接続されたとしても、電流監視部６３０が過大電流を検出し、回線制御部６１０が直ちにオンフックして過大電流が流れ続けることを確実に回避できる。
【００５９】
一方、所定時間が経過している場合（ステップＳ１０５：ＹＥＳ）、電話線１０２が接続されているか否かを判断する（ステップＳ１０８）。より具体的には、電圧監視部６２０は、内部回線電圧が所定の閾値以上か否かにより、電話線１０２が電話回線Ｌ，Ｌ’およびファクシミリ装置１００に接続されているか否かを判断する。
【００６０】
電話線１０２が電話回線Ｌ，Ｌ’およびファクシミリ装置１００に接続されていない、すなわち電話線１０２が抜けていると判断される場合（ステップＳ１０８：ＮＯ）、タイマー部６５０は、タイマーを再セットする（ステップＳ１０９）。そして、ステップＳ１０５の処理に戻る。タイマーに再セットされる時間は、上記所定時間と同じ長さの時間でもよいし、異なる長さの時間でもよい。
【００６１】
たとえば、電話線１０２がファクシミリ装置１００のコネクター部１０１から抜かれた場合、当該コネクター部１０１にビジネスフォンの電話線のコネクターが誤って接続される可能性がある。しかし、本実施形態では、電話線１０２の抜けが検出された場合、タイマーが再セットされることにより、電圧電流調整の調整期間が延長されるので、上記所定時間が経過した後においても、電流監視部６３０が継続して回線電流を検出できる。したがって、コネクター部１０１にビジネスフォンの電話線が誤って接続されたとしても、電流監視部６３０が過大電流を検出し、回線制御部６１０が直ちにオンフックして過大電流が流れ続けることを回避できる。
【００６２】
一方、電話線１０２が接続されていると判断される場合（ステップ１０８：ＹＥＳ）、電圧電流調整を終了する（ステップＳ１１０）。電圧電流調整部６４０は、電圧電流調整を実施するための上記所定時間が経過し、かつ電話線１０２がファクシミリ装置１００のコネクター部１０１および壁面Ｗのコネクターに接続されていると判断し、電圧電流調整を終了する。
【００６３】
次に、再び、電話線１０２が接続されているか否かを判断する（ステップＳ１１１）。電話線１０２がファクシミリ装置１００に接続されていない場合（ステップＳ１１１：ＮＯ）、タイマーを再セット（ステップＳ１１２）し、ステップＳ１０３の処理に戻る。電圧電流調整が終了した後、たとえば電話線１０２がファクシミリ装置１００のコネクター部１０１から抜かれた場合、当該コネクター部１０１にビジネスフォンの電話線が誤って接続される可能性がある。しかし、本実施形態では、電話線１０２の抜けが検出された場合、電圧電流調整が終了した後でも、タイマーが再セットされることにより、電圧電流調整が再開されるので、電流監視部６３０が継続して回線電流を検出できる。したがって、コネクター部１０１にビジネスフォンの電話線が誤って接続されたとしても、電流監視部６３０が過大電流を検出し、回線制御部６１０が直ちにオンフックして過大電流が流れ続けることを確実に回避できる。
【００６４】
一方、電話線１０２がファクシミリ装置１００に接続されている場合（ステップＳ１１１：ＹＥＳ）、オフフック状態か否かを判断する（ステップＳ１１３）。回線制御部６１０は、内部回線電圧に基づいてファクシミリ装置１００がオフフック状態であるか否かを判断する。オフフック状態である場合（ステップＳ１１３：ＹＥＳ）、ステップＳ１１１の処理に戻る。なお、オフフック状態は、オフフック後のファクシミリ通信が始まる前までの段階およびファクシミリ通信中の段階を含む。一方、オフフック状態ではない場合、すなわちオンフック状態である場合（ステップＳ１１３：ＮＯ）、処理を終了する（エンド）。
【００６５】
以上のように、図５Ａおよび図５Ｂのフローチャートに示す処理では、オフフック後に電話線１０２がファクシミリ装置１００および電話回線Ｌ，Ｌ’に接続されているか否か、すなわちシリコンＤＡＡ１１０が電話回線Ｌ，Ｌ’に接続されているか否かを判断し、接続されていないと判断された場合、電圧電流調整の調整期間を増加させる。
【００６６】
本実施形態によれば、オフフック後からオンフック前までの間において、電話回線Ｌ，Ｌ’に流れる電流を検出するシリコンＤＡＡ１１０の機能がつねに動作し、電話回線Ｌ，Ｌ’を通じてファクシミリ装置１００に過大電流が流れた場合に検出することができる。したがって、ファクシミリ装置１００のコネクター部１０１にビジネスフォンシステムの電話線のコネクターがどのようなタイミングで誤接続されたとしても、ファクシミリ装置１００に過大電流が流れ続けることを確実に回避できる。
【００６７】
本発明は、上述した実施形態のみに限定されるものではなく、特許請求の範囲内において、種々改変することができる。たとえば、上述の実施形態では、通信装置としてファクシミリ装置を例に挙げて説明した。しかしながら、本発明の通信装置は、ファクシミリ装置に限定されず、シリコンＤＡＡを使用して電話回線に接続する他の通信装置、たとえばＭＦＰ（Ｍｕｌｔｉｆｕｎｃｔｉｏｎ  Ｐｅｒｉｐｈｅｒａｌ）や電話機でありうる。通信装置が電話機である場合は、図２に示す構成に加えて、ハンドセット、通話回路などを備える。
【００６８】
また、上述の実施形態では、内部回線電圧の大きさに基づいて、電話線がファクシミリ装置および電話回線に接続されているか否かを判断する構成について説明した。しかしながら、本発明はこのような構成に限定されず、たとえば、ファクシミリ装置の電話線のコネクターに接続状態を判別する機構を設けて電話線がファクシミリ装置に接続されているか否かを判断する構成としてもよい。
【符号の説明】
【００６９】
Ｌ，Ｌ’  電話回線、
Ｌ１，Ｌ２  内部回線、
Ｐ  通信制御プログラム、
１００  ファクシミリ装置、
１０１  コネクター部、
１０２  電話線、
１１０  シリコンＤＡＡ、
１２０  モデム、
１３０  操作パネル、
１４０  画像読取部、
１５０  画像処理部、
１６０  画像形成部、
１７０  制御部、
１７１  メモリー、
１７２  本体Ｉ／Ｆ部、
１７３  ＣＰＵ，
２００  交換機、
２０１  定電圧源、
２０２  電流制限抵抗、
２０３  絶縁部、
３００  公衆交換電話網、
４００  交換機、
５００  ファクシミリ装置、
６１０  回線制御部、
６２０  電圧監視部、
６３０  電流監視部、
６４０  電圧電流調整部、
６５０  タイマー部、
６６０  ファクシミリ通信制御部。
【図１】
0006481472.tif 000002
【図２】
0006481472.tif 000003
【図３】
0006481472.tif 000004
【図４】
0006481472.tif 000005
【図５Ａ】
0006481472.tif 000006
【図５Ｂ】
0006481472.tif 000007